(57)【要約】【課題】高い視認性を確保しつつ、防水試験による正確な防水性の確認を行うことも可能な表示装置及び時計を提供する。【解決手段】表示領域を有する表示部３と、透明材料により表示領域よりも面方向の大きさが大きく形成され、表示部３の視認側と対向するように配置される板状のカバー部材２と、カバー部材２における表示部３に対向する裏面側に重畳配置され、カバー部材２の面方向における一部分であって少なくとも表示領域に対応する部分との間で密閉された中間層５１を有する気密部５０を形成する透明部材５とを備えている。【選択図】図３
2018044869.tif 000002
【特許請求の範囲】
【請求項１】
表示領域に対応した曇り防止領域と、
前記曇り防止領域の外周部に設けた非曇り防止領域と、
を備えていることを特徴とする表示装置。
【請求項２】
前記表示領域を備える表示部と、
透明材料により前記表示領域よりも面方向の大きさが大きく形成され、前記表示部の視認側と対向するように配置される板状のカバー部材と、
前記カバー部材における前記表示部に対向する裏面側に重畳配置され、前記カバー部材の面方向における一部分であって少なくとも前記表示領域に対応する部分との間で密閉された中間層を備える気密部を形成する透明部材と、
を備えていることを特徴とする請求項１に記載の表示装置。
【請求項３】
前記透明部材は、透明材料により前記表示領域と同じかこれよりも面方向の大きさが大きく形成された板状の部材であり、
前記透明部材は、前記カバー部材との間に気密性を保持する封止部材を配置することにより前記カバー部材に固定されていることを特徴とする請求項２に記載の表示装置。
【請求項４】
前記透明部材は、透明材料で形成された板状部材上にソーラーセルを積層させた透明ソーラー板であり、
前記透明ソーラー板は、少なくとも前記表示領域に対応する部分を囲むように、前記カバー部材との間に気密性を保持する封止部材を配置することにより前記カバー部材に固定されていることを特徴とする請求項２に記載の表示装置。
【請求項５】
前記透明ソーラー板は、前記板状部材の外周部のみに前記ソーラーセルが積層され、前記外周部に囲まれた部分が前記ソーラーセルの積層されていない透明部となっており、
前記透明ソーラー板は、前記カバー部材における少なくとも前記表示領域に対応する部分に前記透明部が重畳されるように前記カバー部材に固定されることを特徴とする請求項４に記載の表示装置。
【請求項６】
請求項１から請求項５のいずれか一項に記載の表示装置と、
前記表示部を動作させるモジュールと、
前記カバー部材が気密を保持した状態で嵌装され、前記モジュールを内部に収容する本体ケースと、
を備えることを特徴とする時計。
【発明の詳細な説明】
【技術分野】
【０００１】
本発明は、表示装置及び時計に関するものである。
【背景技術】
【０００２】
従来、時計等の表示装置を備える機器には、カバー部材（風防部材）が設けられている。
カバー部材は、表示装置の視認性を確保するために、ガラスや透明な樹脂材料等の透明材料で形成されている。
【０００３】
しかし、機器のケース内には様々な要因により水分（水蒸気）が入り込むことがある。
特に機器のケースが樹脂で形成されている場合、樹脂は吸水しやすいため、仮に防水性が確保されている機器の場合であっても、ケース内部に水分（水蒸気）が入り込み、ケース内の湿度が上がりやすい。特に時計の場合、近年大型化・複雑化して、表面積が増える傾向にあるため、樹脂材料による吸水量も多くなりがちである。
また、金属で形成されているケースであっても裏蓋部材やカバー部材の取り付け部分には樹脂製の防水リング等が用いられているため、こうした樹脂製の部品が吸水することでケース内の湿度が上がる可能性がある。
機器のケース内に水分（水蒸気）が入り込むと、ケース内外の温度差が大きくなった際に、この水蒸気により結露が生じてカバー部材が曇り、表示装置の表示が見え辛くなってしまうという不具合が生じる。
【０００４】
この点、特許文献１には、水蒸気によるカバー部材の曇りを防止するために、カバー部材の内面に防曇剤を塗布することが記載されている。
このようにカバー部材の内面に防曇剤を塗布した場合には、カバー部材が曇って表示装置の視認性が低下するのを防ぐことができる。
【０００５】
また、結露による曇りを防止する手法としては、窓ガラス等に採用されている複層ガラス構造を採用することも考えられる。
複層ガラス構造とは、ガラスを複数層重ねて、ガラス同士の間に空気等の層を設けることで熱の伝達を緩やかにし、急激な温度変化を防止して結露の発生を抑制するものである。
このような構成を時計等の機器の表示装置に採用すれば、カバー部材に結露による曇りが発生するのを防ぐことができる。
【先行技術文献】
【特許文献】
【０００６】
【特許文献１】特開２０１１−１５８４０３号公報
【発明の概要】
【発明が解決しようとする課題】
【０００７】
しかしながら、特許文献１に記載されているような防曇剤には経時変化による劣化も起こりうるため、防曇剤によりカバー部材の曇りを防止する場合、その防曇効果が永久に持続するとはいえない。
【０００８】
また、特に防水性を確保しなければならない時計等の場合、防水性が確保されているか否かを出荷前等にテストする防水試験が行われる。
この防水試験では、機器を一旦水没させた後に、ケース内部の空気に急激な温度変化を与えて凝縮させることにより、カバー部材に結露による曇りが生じるか否かを見る。カバー部材に結露による曇りが生じれば水没により水分がケース内に流入したことになるため防水性が十分でないと判断し、曇りが生じなければ十分な防水性が確保されていると判断することで、防水の信頼性を確認する。
【０００９】
この点、単にカバー部材の内面に防曇剤を塗布したり、カバー部材に複層ガラス構造を採用した場合には、実際には防水性が十分でなくケース内に水分が侵入していたとしても結露による曇りが生じないため、上記のような防水試験によって防水性の確認を行うことができなくなってしまうとの問題がある。
【００１０】
本発明は以上のような事情に鑑みてなされたものであり、高い視認性を確保しつつ、防水試験による正確な防水性の確認を行うことも可能な表示装置及び時計を提供することを目的とするものである。
【課題を解決するための手段】
【００１１】
前記課題を解決するために、本発明に係る表示装置は、
表示領域に対応した曇り防止領域と、
前記曇り防止領域の外周部に設けた非曇り防止領域と、
を備えていることを特徴としている。
【発明の効果】
【００１２】
本発明によれば、高い視認性を確保しつつ、防水試験による正確な防水性の確認を行うこともできるという効果を奏する。
【図面の簡単な説明】
【００１３】
【図１】本実施形態における時計の正面図である。
【図２】第１の実施形態における時計の分解斜視図である。
【図３】図１のIII-III線に沿う要部断面図である。
【図４】第２の実施形態における時計の分解斜視図である。
【図５】図４に示す時計の要部断面図である。
【図６】第３の実施形態における時計の要部断面図である。
【図７】第１の実施形態における時計の一変形例の要部断面図である。
【図８】第２の実施形態における時計の一変形例の要部断面図である。
【図９】第３の実施形態における時計の一変形例の要部断面図である。
【発明を実施するための形態】
【００１４】
［第１の実施形態］
図１から図３を参照しつつ、本発明に係る表示装置及び時計の第１の実施形態について説明する。
なお、以下に述べる実施形態には、本発明を実施するために技術的に好ましい種々の限定が付されているが、本発明の範囲を以下の実施形態及び図示例に限定するものではない。
【００１５】
図１は、本実施形態における時計の正面図であり、図２は、時計の要部を示す分解斜視図であり、図３は、図１におけるIII-III線に沿う断面図である。
なお、本体ケースの構成を示すため、図２では後述する外装部材１１を取り外した状態を図示している。
図２及び図３に示すように、本実施形態における時計１００は、後述する表示部３を備える表示装置２０と、表示部３を動作させるモジュール４と、モジュール４を内部に収容する本体ケース１とを有している。
【００１６】
本実施形態の本体ケース１は、中空の短柱形状に形成されている。
本体ケース１は、例えば、ステンレスやチタニウム等の金属や、ＡＢＳ樹脂、ポリアリレート（ＰＡＲ）、ポリアセタール（ＰＯＭ）、ポリカーボネート（ＰＣ）等の硬質の合成樹脂等により形成される。なお、本体ケース１を形成する材料はここに例示したものに限定されない。
本実施形態では、図１及び図３に示すように、本体ケース１の外側に、外装部材１１が取り付けられている。外装部材１１は、例えばウレタン樹脂等で形成されており、時計１００に外部から衝撃が加えられたときにこれを吸収して、本体ケース１内部への影響を軽減するようになっている。
【００１７】
本体ケース１は、厚み方向の上下（図３における上下）に開口しており、時計１００の表面側（図３における上側、時計における視認側）の開口部１２には、防水リング１２ａを介してカバー部材２が気密を保った状態で開口部１２を閉塞するように嵌装されている。
カバー部材２は、透明なガラスや透明なアクリル樹脂等の透明材料により形成された板状の風防部材である。
本実施形態のカバー部材２は、後述する表示部３の表示領域よりも面方向の大きさが大きく形成され、表示部３の視認側と対向するように配置される。
また、時計１００の裏面側（図３における下側）の開口部１３には、防水リング１３ａを介して裏蓋部材１４が気密を保った状態で開口部１３を閉塞するように取り付けられている。
【００１８】
本体ケース１の外側面には、対向する位置（アナログ時計における１２時側と６時側、図１において時計１００の上下位置）に図示しないバンドが取り付けられる一対のバンド取付け部１５が設けられている。
また、時計１００の側部（図１において時計１００の左右位置）には、ユーザが各種入力操作を行う操作ボタン１６が設けられている。操作ボタン１６は、例えばプッシュ式のボタンや竜頭である。
本体ケース１の側部であって操作ボタン１６に対応する位置には、図２に示すように、操作ボタン１６の図示しない軸部材が挿通される貫通孔１７が形成されている。
【００１９】
本体ケース１の内部には、表示部３が収容されている。
本実施形態において表示部３は、デジタル表示機能を備えるデジタル方式の表示部であり、表示領域を構成する液晶パネル３１と、図示しない光源や導光板を有するバックライト３２とを有している。表示部３の液晶パネル３１には、例えば時刻やカレンダー等が表示される。
なお、表示部３は、液晶パネル３１を有するものに限定されず、例えば有機ＥＬディスプレイ等を備えるものであってもよい。表示部３においていずれの方式を適用する場合にも、各種表示が可能な領域（すなわち、液晶パネル３１が設けられている領域）を表示領域とする。
【００２０】
また、本体ケース１の内部には、表示部３を動作させるモジュール４が収容されている。
モジュール４は、裏蓋部材１４に近い位置に配置され、モジュール４の上側（図３における上側、時計における視認側）に表示部３が載置されている。
モジュール４は、例えば図示しない各種電子部品等が実装された回路基板等が、樹脂等で形成されたハウジング内に収容されたものである。
また、モジュール４内には、時計１００の各部に電源を供給する図示しない電池が設けられている。
【００２１】
カバー部材２における表示部３に対向する裏面側には、透明部材５が重畳配置されている。
透明部材５は、カバー部材２の面方向における一部分であって少なくとも表示部３の表示領域に対応する部分との間で密閉された中間層５１を有する気密部５０を形成する。
本実施形態において中間層５１は、空気の層である。
【００２２】
本実施形態では、透明部材５は、ガラスや透明な樹脂等の透明材料で形成された板状部材５２上にソーラーセル５３を積層させた透明ソーラー板である。
本実施形態の透明部材５である透明ソーラー板は、板状部材５２の外周部のみにソーラーセル５３が積層され、外周部に囲まれた部分がソーラーセル５３の積層されていない透明部５４となっている。
透明ソーラー板である透明部材５は、カバー部材２における少なくとも表示領域に対応する部分に透明部５４が重畳されるようにカバー部材２に固定されている。
透明部材５をカバー部材２に固定する手法としては、例えば、少なくとも表示部３の表示領域に対応する部分を囲むように、カバー部材２との間に気密性を保持する封止部材６を配置する。なお、カバー部材２における封止部材６が配置される部分に、封止部材６が外部から視認しにくいように目隠しのための印刷や各種の加工等を施してもよい。
封止部材６を介して透明部材５をカバー部材２に取り付けることで、カバー部材２と透明部材５との間に封止部材６の厚み分だけ空気の層である中間層５１が形成される。
封止部材６としては、例えば両面テープや接着剤等を適用することができる。
なお、封止部材６は、透明部材５をカバー部材２の裏面側に気密性を保持して中間層５１を形成することができるものであればよく、ここに例示したものに限定されない。
また、透明部材５をカバー部材２に固定する手法は、上記に例示したものに限定されない。
【００２３】
時計１００の本体ケース１が金属材料で形成されている場合でも、本体ケース１とカバー部材２との間、本体ケース１と裏蓋部材１４との間等の嵌合部等には、防水リング１２ａ，１３ａ等として樹脂が配置されている。しかし、樹脂は吸水性に優れているため、樹脂部分から時計１００の内部に水分（水蒸気）が入り込むことがある。さらに本体ケース１自体が樹脂で形成されている場合には、水分（水蒸気）が時計１００の内部に入り込む可能性が一層高くなる。
時計１００の内部に水分（水蒸気）が入り込み、時計１００内部の湿度が高くなっているときに、本体ケース１の内部が体温等により温められ、さらに、カバー部材２が外気等によって冷やされると、水蒸気が水滴となってカバー部材２に付着して結露となる。
例えば、暑い日に外に出た後やサウナに入った後等、本体ケース１内の温度が上がった状態のときに冷房の効いた部屋に入った場合のように、外気の温度と本体ケース１内の温度との差が大きいときに結露が生じやすくなる。
このようにして結露が発生すると、カバー部材２が曇り、表示部３の視認性が悪くなってしまう。
この点、カバー部材２と透明部材５との間に密閉された中間層５１を有する気密部５０を設け、複層ガラス構造をとった場合には、この中間層５１が熱の伝達を緩やかにし、水蒸気が急速に冷やされることを防止して、結露の発生を抑えることができる。
なお、中間層５１は熱の伝達を阻害しうるものであればよく、本実施形態のように空気等の気体の層であってもよいし、真空状態の空間としてもよい。
【００２４】
本実施形態では、液晶パネル３１を有する表示部３と、カバー部材２と、このカバー部材２の面方向における一部分であって少なくとも表示部３の表示領域（本実施形態では液晶パネル３１が設けられている領域）に対応する部分との間で密閉された中間層５１を有する気密部５０を形成する透明部材５と、を備えて表示装置２０が構成されている。
本実施形態の表示装置２０は、上記のように、少なくとも表示部３の表示領域に対応する部分を含むカバー部材２の面方向における一部分に気密部５０を形成する。このため、表示領域に対応する部分においては、カバー部材２と透明部材５とで複層ガラスと同様の構成（以下において、「複層ガラス構造」という。）がとられ、外気の温度と本体ケース１内の温度との差が大きいときでも結露を生じにくい。
また、気密部５０が形成されるのはカバー部材２の面方向における一部分のみであるため、気密部５０が形成されていない部分では、外気の温度と本体ケース１内の温度との差が大きいと、本体ケース１内に水蒸気が入っている場合にはカバー部材２に結露を生じる。このため、時計１００の防水性能を調べるテストを行う場合等には、この気密部５０が形成されていない部分における結露の発生状況を見ることによって本体ケース１内に水分が入るか否かを判断することができる。
【００２５】
本体ケース１の内側面であってモジュール４及び表示部３よりも上方位置（図３における上方、時計における視認側）には、本体ケース１の内側に向かって張り出す内向きフランジ部１８が形成されている。
透明部材５は、この内向きフランジ部１８の上側の面（図３における上側の面、時計における視認側の面）に当接しており、下側から内向きフランジ部１８によっても支持されている。
【００２６】
次に、本実施形態における表示装置及びこれを備える時計の作用について説明する。
本実施形態では、本体ケース１内にモジュール４を配置し、モジュール４の上（図３において上、時計１００における視認側）に表示部３を配置し、この表示部３の表面側（時計１００における視認側）と対向するように板状のカバー部材２を配置する。
そして、カバー部材２の面方向における一部分であって少なくとも表示部３の表示領域（本実施形態では液晶パネル３１が設けられている領域）に対応する部分に、封止部材６を介して透明部材５を取り付ける。これにより、カバー部材２と透明部材５との間には、封止部材６の厚み分だけ空気の層である中間層５１が形成される。この中間層５１は封止部材６によって密封された状態となっており、カバー部材２と透明部材５との間に気密性が保持された中間層５１を有する気密部５０が形成される。
これにより、表示部３と、カバー部材２と、透明部材５とを備える表示装置２０が完成する。
本体ケース１の裏面側の開口部１３に防水リング１３ａを介して裏蓋部材１４を取り付け、また、カバー部材２を本体ケース１の表面側の開口部１２に防水リング１２ａを介して取り付ける。
これにより、本実施形態における表示装置２０を備え、気密性・防水性に優れた時計１００が完成する。
【００２７】
このような表示装置２０では、カバー部材２における表示部３の表示領域（本実施形態では液晶パネル３１が設けられている領域）に対応する部分は複層ガラス構造となるため、結露による曇りの発生が防止される。
また、複層ガラス構造がとられるのは表示領域に対応する部分のみであるため、防水の信頼性を確認する防水試験を行う際には、複層ガラス構造のとられていない部分（本実施形態では、表示領域に対応する部分よりも面方向における外側であるカバー部材２の外周部分）において結露による曇りが生じるか否かを確認することができる。
【００２８】
そして、こうした表示装置２０を備える時計１００では、防水試験により、防水の信頼性を正確に確認できるとともに、表示装置２０の表示もカバー部材２に曇りのない状態で見ることができ、視認性に優れた時計１００を実現することができる。
【００２９】
以上のように、本実施形態によれば、表示部３の表示領域を構成する液晶パネル３１よりも面方向の大きさが大きく形成され、表示部３の視認側と対向するように配置される透明な板状のカバー部材２の裏面側（図３における下側）であってカバー部材２の面方向における一部分であって少なくとも表示領域に対応する部分に透明部材５を重畳配置することで、カバー部材２と透明部材５との間で密閉された中間層５１を有する気密部５０を形成している。
これにより、カバー部材２における表示部３の表示領域（本実施形態では液晶パネル３１が設けられている領域）に対応する部分は複層ガラス構造となり、結露による曇りの発生が防止される。このため、表示領域を構成する液晶パネル３１に表示される時刻等の文字や数字等については、温度環境等に左右されない優れた視認性を確保することができる。
また、複層ガラス構造がとられるのは表示領域に対応する部分のみであり、複層ガラス構造のとられていない部分（本実施形態では、表示領域に対応する部分よりも面方向における外側であるカバー部材２の外周部分）では、本体ケース１内に水分がある場合に結露による曇りを生じ得る。このため、防水試験を行う際には、複層ガラス構造のとられていない部分において結露による曇りが生じるか否かを見ることで正確に防水の信頼性を確認することができる。
また、本実施形態では、透明部材５は、透明材料により表示部３の表示領域と同じかこれよりも面方向の大きさが大きく形成された板状の部材であり、透明部材５は、カバー部材２との間に気密性を保持する封止部材６を配置することによりカバー部材２に固定される。このため、封止部材６を介して透明部材５をカバー部材２に固定するだけで、封止部材６の厚み分に相当する空気層である中間層５１を有する気密部５０がカバー部材２と透明部材５との間に形成され、複層ガラス構造が構成される。
また、本実施形態では、透明部材５は、透明材料で形成された板状部材５２上にソーラーセル５３を積層させた透明ソーラー板であり、透明ソーラー板は、少なくとも表示領域に対応する部分を囲むように、カバー部材２との間に気密性を保持する封止部材６を配置することによりカバー部材２に固定されている。このように、複層ガラス構造をとるための透明部材５を発電のための透明ソーラー板で構成することにより、１つの部材でカバー部材２の防曇性の確保とソーラーセル５３による発電とを実現することができ、部品点数を抑え、組み立て工数や製品コストを抑えることができる。
さらに、本実施形態では、透明ソーラー板である透明部材５は、板状部材５２の外周部のみにソーラーセル５３が積層され、外周部に囲まれた部分がソーラーセル５３の積層されていない透明部５４となっている。そして、透明ソーラー板である透明部材５は、カバー部材２における少なくとも表示領域に対応する部分に透明部５４が重畳されるようにカバー部材２に固定される。
そして、少なくとも表示領域に対応する部分を囲むように封止部材６が配置されるため、表示領域に対応するカバー部材２の中央部分では結露による曇りを生じないが、カバー部材２の外周部分では結露による曇りを生じ得る。しかし、カバー部材２の外周部分は、表示領域には対応しないため視認性には影響がない。また、透明部材５の外周部にはソーラーセル５３が配置されているが、カバー部材２に多少曇りが生じても光透過性にはそれほど大きな影響はなく、また曇りはしばらくすれば解消されるものであるため、ソーラーセル５３による発電を阻害するほどの影響を及ぼすものではなく問題はない。
また、上記のような表示装置２０を時計１００に備えることにより、表示部３の視認性を十分に確保できるとともに、防水試験の際には、結露による曇りが生じるか否かを正確に判断することでき、防水の信頼性の確認も適切に行うことができる。
【００３０】
［第２の実施形態］
次に、図４及び図５を参照しつつ、本発明に係る表示装置及びこれを備える時計の第２の実施形態について説明する。なお、本実施形態は、透明部材等の構成が第１の実施形態と異なるものであるため、以下においては、特に第１の実施形態と異なる点について説明する。
【００３１】
図４は、本実施形態に係る時計の要部を示す分解斜視図であり、図５は、時計の側断面図である。
なお、本体ケースの構成を示すため、図４では外装部材１１を取り外した状態を図示している。
図４及び図５に示すように、本実施形態における時計２００は、第１の実施形態と同様に、液晶パネル３１を有する表示部３を備える表示装置３０と、表示部３を動作させるモジュール４と、モジュール４を内部に収容する本体ケース１とを有している。
【００３２】
本実施形態では、表示部３と、カバー部材２と、このカバー部材２の面方向における一部分であって少なくとも表示部３の表示領域（本実施形態では液晶パネル３１が設けられている領域）に対応する部分との間で密閉された中間層５１を有する気密部５０を形成する透明部材７と、を備えて表示装置３０が構成されている。
本実施形態における透明部材７は、透明材料により表示部３の表示領域と同じかこれよりも面方向の大きさが大きく形成された板状の部材である。
透明部材７は、カバー部材２との間に気密性を保持する封止部材６を配置することによりカバー部材２に固定されている。本実施形態では、透明部材７の外周縁に沿ってリング状の封止部材６が配置される。
なお、本実施形態では、透明部材７の面方向の大きさが、カバー部材２の面方向の大きさよりも小さく、透明部材７がカバー部材２に重畳されている部分（すなわち、表示部３の表示領域に対応する部分）のみに中間層５１を有する気密部５０が形成される。
【００３３】
本実施形態の表示装置３０は、上記のように、少なくとも表示部３の表示領域に対応する部分を含むカバー部材２の面方向における一部分に気密部５０を形成する。このため、表示領域に対応する部分においては、カバー部材２と透明部材７とにより複層ガラスと同様の構成（複層ガラス構造）がとられ、外気の温度と本体ケース１内の温度との差が大きいときでも結露による曇りを生じにくい。
また、透明部材７がカバー部材２に重畳されていない部分（すなわち、表示部３の表示領域に対応しない部分）においては、複層ガラス構造がとられていないため、外気の温度と本体ケース１内の温度との差が大きいときには結露による曇りが生じ得るようになっている。
【００３４】
本実施形態の表示装置３０は、さらに、リング状に形成されたソーラーパネル８１を備えている。
ソーラーパネル８１は、図示しない基材にソーラーセル（図示せず）を積層したものである。ソーラーパネル８１の外径は、本体ケース１の上部（図５における上側、時計における視認側）の開口部１２の内径よりも少し小さく、内向きフランジ部１８の内径よりも大きく形成されており、ソーラーパネル８１は、下側（時計における裏面側）が内向きフランジ部１８の上面に載置されている。
本実施形態では、ソーラーパネル８１は、内向きフランジ部１８により裏面側から支持されるとともに、両面テープ等の固定部材８１ａにより内向きフランジ部１８に貼着固定されるようになっている。なお、ソーラーパネル８１を本体ケース１側に固定する手法はここに例示したものに限定されない。
また、ソーラーパネル８１の内側の径は、表示部３の表示領域に対応する部分よりも大きく形成されており、リング状のソーラーパネル８１が表示部３の表示領域と重なり合わないようになっている。
【００３５】
上記のように、本実施形態では、カバー部材２における少なくとも表示部３の表示領域に対応する部分のみに透明部材７が重畳され、当該部分において複層ガラス構造がとられており、それ以外の部分であるカバー部材２の外周部では複層ガラス構造がとられていない。このため、ソーラーパネル８１が配置されている部分に対応するカバー部材２の外周部では結露による曇りが発生する可能性がある。しかし、カバー部材２に多少曇りが生じても光透過性にはそれほど大きな影響はなく、また曇りはしばらくすれば解消されるものであるため、ソーラーパネル８１による発電を阻害するほどの影響を及ぼすものではなく問題はない。
【００３６】
ソーラーパネル８１の上面側（時計における視認側）には、リング状に形成された見切り部材８２が配置されている。
本実施形態では、ソーラーパネル８１は、見切り部材８２と内向きフランジ部１８との間に挟まれて位置が固定されている。
見切り部材８２には、例えば、各種の指標や目盛、各種ロゴ等が印刷等により施されていてもよい。
見切り部材８２はソーラーパネル８１とほぼ同様の形状に形成されており、ソーラーパネル８１の上面側に見切り部材８２を重畳することにより、ソーラーパネル８１が外部から視認されず、時計２００の外観を損なわないようになっている。
なお、見切り部材８２は、ソーラーパネル８１による発電の妨げとならないように、透明又は半透明の樹脂等の光透過性に優れた材料で形成されることが好ましい。
【００３７】
なお、その他の構成は、第１の実施形態と同様であることから、同一部材には同一の符号を付して、その説明を省略する。
【００３８】
次に、本実施形態における表示装置及びこれを備える時計の作用について説明する。
まず、第１の実施形態と同様に、本体ケース１内にモジュール４を配置し、モジュール４の上（図５において上、時計２００における視認側）に表示部３を配置し、この表示部３の表面側（時計２００における視認側）と対向するように板状のカバー部材２を配置する。
また、表示部３の表面側（時計２００における視認側）であって本体ケース１の内向きフランジ部１８の上にソーラーパネル８１を配置し、両面テープ等の固定部材８１ａにより本体ケース１側に固定する。さらに、このソーラーパネル８１の上に見切り部材８２を重畳配置する。
そして、カバー部材２の面方向における一部分であって少なくとも表示部３の表示領域（本実施形態では液晶パネル３１が設けられている領域）に対応する部分に、封止部材６を介して透明部材７を取り付ける。これにより、カバー部材２と透明部材５との間には、封止部材６の厚み分だけ空気の層である中間層５１が形成される。この中間層５１は封止部材６によって密封された状態となっており、カバー部材２と透明部材５との間に気密性が保持された中間層５１を有する気密部５０が形成される。
これにより、表示部３と、カバー部材２と、透明部材７とを備える表示装置３０が完成する。
本体ケース１の裏面側の開口部１３に防水リング１３ａを介して裏蓋部材１４を取り付け、また、カバー部材２を本体ケース１の表面側の開口部１２に防水リング１２ａを介して取り付ける。
これにより、本実施形態における表示装置３０を備え、気密性・防水性に優れた時計２００が完成する。
【００３９】
このような表示装置３０では、カバー部材２における表示部３の表示領域（本実施形態では液晶パネル３１が設けられている領域）に対応する部分は複層ガラス構造となるため、結露による曇りの発生が防止される。
また、複層ガラス構造がとられるのは表示領域に対応する部分のみであるため、防水の信頼性を確認する防水試験を行う際には、複層ガラス構造のとられていない部分（本実施形態では、表示領域に対応する部分よりも面方向における外側であるカバー部材２の外周部分）において結露による曇りが生じるか否かを確認することができる。
なお、本実施形態では、リング状のソーラーパネル８１が表示部３の表示領域に対応する部分よりも面方向における外側であるカバー部材２の外周部分に対応する位置に配置されるが、カバー部材２に多少曇りが生じても光透過性にはそれほど大きな影響はなく、また曇りはしばらくすれば解消されるものであるため、ソーラーパネル８１による発電は支障なく行われる。
【００４０】
そして、こうした表示装置３０を備える時計２００では、防水試験により、防水の信頼性を正確に確認できるとともに、表示装置３０の表示もカバー部材２に曇りのない状態で見ることができ、視認性に優れた時計２００を実現することができる。
【００４１】
なお、その他の点については、第１の実施形態と同様であることから、その説明を省略する。
【００４２】
以上のように、本実施形態によれば、第１の実施形態と同様の効果を得られる他、以下の効果を得ることができる。
すなわち、本実施形態では、表示装置３０がカバー部材２の面方向の大きさよりも小さい大きさの透明部材７を備え、この透明部材７をカバー部材２のほぼ中央部（表示部３の表示領域に対応する部分）に封止部材６を介して重畳配置している。
これにより、透明部材７がカバー部材２に重畳されている部分（すなわち、表示部３の表示領域に対応する部分）のみに中間層５１を有する気密部５０が形成され、複層ガラス構造が取られる。
このため、表示部３の表示領域に対応する部分については、外気の温度と本体ケース１内の温度との差が大きいときでもカバー部材２に結露による曇りを生じにくく、視認性に優れた表示装置３０を実現することができる。
また、透明部材７がカバー部材２に重畳されていない部分（すなわち、表示部３の表示領域に対応しない部分）においては、複層ガラス構造がとられていないため、外気の温度と本体ケース１内の温度との差が大きいときには結露による曇りが生じ得るようになっている。
このため、防水試験を行う際には、複層ガラス構造のとられていない部分において結露による曇りが生じるか否かを見ることで正確に防水の信頼性を確認することができる。
また、本実施形態では、複層ガラス構造を構成するための透明部材７をソーラーパネル８１とは別部材としている。
このように、透明部材７をソーラーパネル８１とは別部材とすることにより、例えば、ガラス等で形成される透明部材７を、複層ガラス構造としたい部分（すなわち、表示部３の表示領域に対応する部分）の形状・大きさと同じにして必要最小限のサイズとし、透明部材７を設けることによる時計全体の重量の増加を最小限に抑えることができる。
【００４３】
［第３の実施形態］
次に、図６を参照しつつ、本発明に係る表示装置及びこれを備える時計の第３の実施形態について説明する。なお、本実施形態は、透明部材等の構成が第１の実施形態等と異なるものであるため、以下においては、特に第１の実施形態等と異なる点について説明する。
【００４４】
図６は、本実施形態における時計の側断面図である。
図６に示すように、本実施形態における時計３００は、第１の実施形態等と同様に、液晶パネル３１を有する表示部３を備える表示装置４０と、表示部３を動作させるモジュール４と、モジュール４を内部に収容する本体ケース１とを有している。
【００４５】
本実施形態では、表示部３と、カバー部材２と、このカバー部材２の面方向における一部分であって少なくとも表示部３の表示領域（本実施形態では液晶パネル３１が設けられている領域）に対応する部分との間で密閉された中間層５１を有する気密部５０を形成する透明部材７１と、を備えて表示装置３０が構成されている。
【００４６】
本実施形態では、透明部材７１は、ガラスや透明な樹脂等の透明材料で形成された円盤状の部材である。
透明部材７１の径は、本体ケース１の上側（図６における上側、時計における視認側）の開口部１２の径よりも小さければよく、特に限定されない。
本実施形態では、透明部材７１の外径は、内向きフランジ部１８の内径よりも大きく形成されており、透明部材７１は、下側（時計における裏面側）が内向きフランジ部１８の上面に載置されて、内向きフランジ部１８により裏面側から支持されるようになっている。
透明部材７１における下側（裏面側）の面であって、透明部材７１の外周部には、リング状のシート上にソーラーセル（図示せず）が配置されたソーラーパネル７３が貼り付けられている。
また、透明部材７１における中央部であり、ソーラーパネル７３が貼着されていない部分は透明部７２となっている。
【００４７】
透明部材７１は、カバー部材２における少なくとも表示領域に対応する部分に、ソーラーパネル７３が貼着されていない透明部７２（本実施形態では、透明部材７１のほぼ中央部）が重畳され、ソーラーパネル７３が貼着されている外周部が少なくとも表示部３の表示領域に対応する部分に重なり合わないように位置を合わせてカバー部材２に固定されている。
透明部材７１をカバー部材２に固定する手法としては、例えば、少なくとも表示部３の表示領域に対応する部分を囲むように、カバー部材２との間に気密性を保持する封止部材６を配置する。
封止部材６を介して透明部材７１をカバー部材２に取り付けることで、カバー部材２と透明部材７１との間に封止部材６の厚み分だけ空気の層である中間層５１が形成される。
【００４８】
本実施形態の表示装置３０は、上記のように、少なくとも表示部３の表示領域に対応する部分を含むカバー部材２の面方向における一部分に気密部５０を形成する。このため、表示領域に対応する部分においては、カバー部材２と透明部材７１とにより複層ガラスと同様の構成（複層ガラス構造）がとられ、外気の温度と本体ケース１内の温度との差が大きいときでも結露による曇りを生じにくい。
また、透明部材７１がカバー部材２に重畳されていない部分（すなわち、表示部３の表示領域に対応しない部分）においては、複層ガラス構造がとられていないため、外気の温度と本体ケース１内の温度との差が大きいときには結露による曇りが生じ得るようになっている。
【００４９】
上記のように、本実施形態では、カバー部材２における少なくとも表示部３の表示領域に対応する部分のみに封止部材６によって密封された気密部５０が形成されて、複層ガラス構造がとられており、それ以外の部分であるカバー部材２の外周部では複層ガラス構造がとられていない。このため、ソーラーパネル７３が貼着されている部分に対応するカバー部材２の外周部では結露による曇りが発生する可能性がある。しかし、カバー部材２に多少曇りが生じても光透過性にはそれほど大きな影響はなく、また曇りはしばらくすれば解消されるものであるため、ソーラーパネル７３による発電を阻害するほどの影響を及ぼすものではなく問題はない。
【００５０】
なお、その他の構成は、第１の実施形態等と同様であることから、同一部材には同一の符号を付して、その説明を省略する。
【００５１】
次に、本実施形態における表示装置及びこれを備える時計の作用について説明する。
まず、第１の実施形態等と同様に、本体ケース１内にモジュール４を配置し、モジュール４の上（図６において上、時計３００における視認側）に表示部３を配置し、この表示部３の表面側（時計３００における視認側）と対向するように板状のカバー部材２を配置する。
そして、カバー部材２の面方向における一部分であって少なくとも表示部３の表示領域（本実施形態では液晶パネル３１が設けられている領域）に対応する部分を囲むように、封止部材６を配置して透明部材７１をカバー部材２に取り付ける。これにより、カバー部材２と透明部材７１との間には、封止部材６の厚み分だけ空気の層である中間層５１が形成される。この中間層５１は封止部材６によって密封された状態となっており、カバー部材２と透明部材７１との間に気密性が保持された中間層５１を有する気密部５０が形成される。
これにより、表示部３と、カバー部材２と、透明部材７１とを備える表示装置４０が完成する。
本体ケース１の裏面側の開口部１３に防水リング１３ａを介して裏蓋部材１４を取り付け、また、カバー部材２を本体ケース１の表面側の開口部１２に防水リング１２ａを介して取り付ける。
これにより、本実施形態における表示装置４０を備え、気密性・防水性に優れた時計３００が完成する。
【００５２】
このような表示装置４０では、カバー部材２における表示部３の表示領域（本実施形態では液晶パネル３１が設けられている領域）に対応する部分は複層ガラス構造となるため、結露による曇りの発生が防止される。
また、複層ガラス構造がとられるのは表示領域に対応する部分のみであるため、防水の信頼性を確認する防水試験を行う際には、複層ガラス構造のとられていない部分（本実施形態では、表示領域に対応する部分よりも面方向における外側であるカバー部材２の外周部分）において結露による曇りが生じるか否かを確認することができる。
なお、本実施形態では、リング状のソーラーパネル７３が表示部３の表示領域に対応する部分よりも面方向における外側であるカバー部材２の外周部分に対応する位置に配置されるが、カバー部材２に多少曇りが生じても光透過性にはそれほど大きな影響はなく、また曇りはしばらくすれば解消されるものであるため、ソーラーパネル７３による発電は支障なく行われる。
【００５３】
そして、こうした表示装置４０を備える時計３００では、防水試験により、防水の信頼性を正確に確認できるとともに、表示装置４０の表示もカバー部材２に曇りのない状態で見ることができ、視認性に優れた時計３００を実現することができる。
【００５４】
なお、その他の点については、第１の実施形態等と同様であることから、その説明を省略する。
【００５５】
以上のように、本実施形態によれば、第１の実施形態等と同様の効果を得られる他、以下の効果を得ることができる。
すなわち、本実施形態では、表示装置４０がカバー部材２の面方向の大きさと同程度の大きさの透明部材７１を備え、この透明部材７１のうち、ソーラーパネル７３が貼着されていない透明部７２がカバー部材２のほぼ中央部（表示部３の表示領域に対応する部分）に配置されるように封止部材６を介して重畳配置している。
これにより、透明部７２がカバー部材２に重畳されている部分（すなわち、表示部３の表示領域に対応する部分）のみに中間層５１を有する気密部５０が形成され、複層ガラス構造が取られる。
このため、表示部３の表示領域に対応する部分については、外気の温度と本体ケース１内の温度との差が大きいときでもカバー部材２に結露による曇りを生じにくく、視認性に優れた表示装置４０を実現することができる。
また、気密部５０が形成されていない部分（すなわち、表示部３の表示領域に対応しない部分）においては、複層ガラス構造がとられていないため、外気の温度と本体ケース１内の温度との差が大きいときには結露による曇りが生じ得るようになっている。
このため、防水試験を行う際には、複層ガラス構造のとられていない部分において結露による曇りが生じるか否かを見ることで正確に防水の信頼性を確認することができる。
また、本実施形態では、複層ガラス構造を構成するための透明部材７１をカバー部材２と同程度の大きさとし、この透明部材７１の外周部のみにソーラーパネル７３を貼着している。このため、視認性を確保すべき領域である表示部３の表示領域の形状や大きさに応じて透明部材７１の形状や大きさを作り分ける必要がなく、各種の表示領域を有する機種に流用が可能であるとともに、時計３００のデザインや仕様に応じてソーラーパネル７３の形状や大きさを調整することで、各種の機種に容易に対応させることができる。
【００５６】
なお、以上本発明の実施形態について説明したが、本発明は、かかる実施形態に限定されず、その要旨を逸脱しない範囲で、種々変形が可能であることは言うまでもない。
【００５７】
例えば、第１の実施形態から第３の実施形態では、表示装置２０，３０，４０が液晶パネル３１を有するデジタル方式の表示部３を備えている場合を例示したが、表示装置が備える表示部はデジタル方式のものに限定されず、指針を備えるアナログ方式の表示部を備える表示装置であってもよい。
【００５８】
図７は、第１の実施形態に示した構成をアナログ方式の表示部を備える表示装置に適用した例を示す時計の側断面図であり、図８は、第２の実施形態に示した構成をアナログ方式の表示部を備える表示装置に適用した例を示す時計の側断面図であり、図９は、第３の実施形態に示した構成をアナログ方式の表示部を備える表示装置に適用した例を示す時計の側断面図である。
【００５９】
図７から図９に示すように、アナログ方式の表示部３５は、図示しない時字等が設けられた板状の文字板３６と、モジュール４１側から文字板３６を貫通して視認側に突出する指針軸３７と、文字板３６の上に突出している指針軸３７の自由端側に取り付けられ、文字板３６の上を運針するように構成された指針３８とを備えている。
表示部３５がアナログ方式である場合には、最低限視認性を確保すべき範囲は、文字板３６のうち、指針３８が回転し時刻等を指し示す範囲である。
このため、表示部３５がアナログ方式である場合は、指針３８のうち最も長いものが回転する範囲、又は指針３８が指し示す時字等の指標が設けられている範囲内を表示領域とし、少なくともこの領域内の視認性を確保できるようにカバー部材２と透明部材との間で気密部５０を形成し、複層ガラス構造をとるようにする。
【００６０】
時計がアナログ方式の表示部３５を有する表示装置２０ａ，３０ａ，４０ａを備える場合には、時計のモジュール４１は、表示部３５の指針軸３７を回動させて指針３８を運針させるための図示しない運針機構（例えば輪列機構等）を含んでいる。
なお、表示装置２０ａ，３０ａ，４０ａは、表示部３５の構成がアナログ方式であることの他は、第１の実施形態から第３の実施形態で示した表示装置２０，３０，４０とそれぞれ同様の構成を有するものであることから、同一部材には同一の符号を付してその説明を省略する。
【００６１】
表示装置２０ａ，３０ａ，４０ａがアナログ方式の表示部３５を有する場合でも、上記のような表示領域について視認性を確保できるようにカバー部材２と透明部材との間で気密部５０を形成し、複層ガラス構造をとることで、結露による曇りの発生を防ぎ、表示装置２０ａ，３０ａ，４０ａに求められる視認性を確保することができる。また、表示装置２０ａ，３０ａ，４０ａの視認性に関わらない部分については、複層ガラス構造をとらないことであえて結露による曇りが発生し得る状態とし、防水試験を行う際には、当該複層ガラス構造のとられていない部分において結露による曇りが生じるか否かを見ることで正確に防水の信頼性を確認することができる。
【００６２】
また、本実施形態では、表示領域に対応する部分は視認性を確保できるように複層ガラス構造としたが、複層ガラス構造ではなく、表示領域に対応する部分は視認性を確保できるように防曇剤を塗布したり、防曇コーティングを行っても良い。
また、本実施形態では、表示装置が時計に設けられている場合を例示したが、表示装置は時計に適用される場合に限定されない。
例えば、歩数計、心拍数計、高度計、気圧計等の表示装置や、携帯電話機等の端末装置の表示装置について、本発明の表示装置を適用してもよい。
【００６３】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示領域に対応した曇り防止領域と、
前記曇り防止領域の外周部に設けた非曇り防止領域と、
を備えていることを特徴とする表示装置。
＜請求項２＞
前記表示領域を備える表示部と、
透明材料により前記表示領域よりも面方向の大きさが大きく形成され、前記表示部の視認側と対向するように配置される板状のカバー部材と、
前記カバー部材における前記表示部に対向する裏面側に重畳配置され、前記カバー部材の面方向における一部分であって少なくとも前記表示領域に対応する部分との間で密閉された中間層を備える気密部を形成する透明部材と、
を備えていることを特徴とする請求項１に記載の表示装置。
＜請求項３＞
前記透明部材は、透明材料により前記表示領域と同じかこれよりも面方向の大きさが大きく形成された板状の部材であり、
前記透明部材は、前記カバー部材との間に気密性を保持する封止部材を配置することにより前記カバー部材に固定されていることを特徴とする請求項２に記載の表示装置。
＜請求項４＞
前記透明部材は、透明材料で形成された板状部材上にソーラーセルを積層させた透明ソーラー板であり、
前記透明ソーラー板は、少なくとも前記表示領域に対応する部分を囲むように、前記カバー部材との間に気密性を保持する封止部材を配置することにより前記カバー部材に固定されていることを特徴とする請求項２に記載の表示装置。
＜請求項５＞
前記透明ソーラー板は、前記板状部材の外周部のみに前記ソーラーセルが積層され、前記外周部に囲まれた部分が前記ソーラーセルの積層されていない透明部となっており、
前記透明ソーラー板は、前記カバー部材における少なくとも前記表示領域に対応する部分に前記透明部が重畳されるように前記カバー部材に固定されることを特徴とする請求項４に記載の表示装置。
＜請求項６＞
請求項１から請求項５のいずれか一項に記載の表示装置と、
前記表示部を動作させるモジュールと、
前記カバー部材が気密を保持した状態で嵌装され、前記モジュールを内部に収容する本体ケースと、
を備えることを特徴とする時計。
【符号の説明】
【００６４】
１      本体ケース
２      カバー部材
３      表示部
４      モジュール
５      透明部材
６      封止部材
１２    開口部
２０    表示装置
３１    液晶パネル
３５    表示部
３６    文字板
３８    指針
５０    気密部
５１    中間層
５２    板状部材
５３    ソーラーセル
５４    透明部
１００  時計
【図１】
2018044869.tif 000003
【図２】
2018044869.tif 000004
【図３】
2018044869.tif 000005
【図４】
2018044869.tif 000006
【図５】
2018044869.tif 000007
【図６】
2018044869.tif 000008
【図７】
2018044869.tif 000009
【図８】
2018044869.tif 000010
【図９】
2018044869.tif 000011